(57)【要約】【課題】ユーザが使用済みランセットの再使用及び穿刺針の露出を防止することができる穿刺針カートリッジ及び穿刺装置を提供すること。【解決手段】穿刺針カートリッジ１０５を構成するランセット２０４は軸方向の互いに異なる位置に、弾性変形が可能な第１アーム２０９と第２アーム２１０とを有し、穿刺針カートリッジ１０５は、第１アーム２０９の先端部が穿刺針ホルダ２０１から露出して、ランセット本体２０３の移動を規制する<第１の状態>と、第１アーム２０９の先端部と、第２アーム２１０の先端部とが穿刺針ホルダ２０１内に納まって、ランセット本体２０３が穿刺針２０７の軸方向に移動可能な<第２の状態>と、第１アーム２０９の先端部と第２アーム２１０の先端部がそれぞれ、穿刺針ホルダ２０１から露出して、ランセット本体２０３の移動を規制する<第３の状態>とを取り得る。【選択図】図４
2011067565.tif 000002
【特許請求の範囲】
【請求項１】
皮膚を穿刺する穿刺針と、前記穿刺針の先端の一部又は全部を覆うように保護し、かつ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、
前記ランセットは、軸方向の互いに異なる位置に、弾性変形が可能な、少なくとも第１アームと、第２アームとを備える穿刺針カートリッジ。
【請求項２】
前記ランセットは、前記外周面から外方に突出した、一対の第１のアームと、前記第１のアームに対して前記穿刺針の軸方向又は周方向に異なる位置に、前記外周面から外方に突出した、第２のアームとを備え、
前記穿刺針ホルダは、前記ランセットが前記穿刺針の軸方向の第１の位置にあるときに、前記第１のアーム又は前記第２のアームを収納し、かつ、
前記ランセットが前記穿刺針の軸方向の第２の位置にあるときに、前記第１のアーム又は前記第２のアームを外部に突出させる開口部を備える請求項１記載の穿刺針カートリッジ。
【請求項３】
皮膚を穿刺する穿刺針と、前記穿刺針の先端の一部又は全部を覆うように保護し、かつ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、
前記ランセットは、軸方向の互いに異なる位置に、弾性変形が可能な、少なくとも第１アームと、第２アームとを有し、
前記穿刺針ホルダは、前記ランセットが前記穿刺針の軸方向の所定の位置にあるときに、穿刺針ホルダの外方に前記第１アーム及び／又は前記第２アームが突出する開口部を有し、
前記穿刺針カートリッジは、前記第１アームのみが前記開口部から突出して、前記ランセットの移動を規制する第１の状態と、
前記第１アームと、第２アームとが穿刺針カートリッジ内に納まって、前記穿刺針が穿刺針ホルダから突出可能な第２の状態と、
前記第１アームと第２アームが共に、開口部から突出して、前記ランセットの移動を規制する第３の状態とを取り得る穿刺針カートリッジ。
【請求項４】
前記第１アーム及び／又は前記第２アームは、突起部を有する請求項１記載の穿刺針カートリッジ。
【請求項５】
前記突起部は、前記第１アーム及び／又は前記第２アームから分岐する形状で突出する突起である請求項４記載の穿刺針カートリッジ。
【請求項６】
前記第１アーム及び／又は第２アームは、湾曲形状、折曲形状、テーパ形状、又は傾斜部を有する形状である請求項１記載の穿刺針カートリッジ。
【請求項７】
前記第１アーム及び／又は第２アームは、ランセット本体の軸周りに、等間隔に複数個配置される請求項１記載の穿刺針カートリッジ。
【請求項８】
前記第１アーム及び／又は第２アームは、前記保護キャップからそれぞれ等距離の位置に複数個配置される請求項１記載の穿刺針カートリッジ。
【請求項９】
前記第１アーム及び／又は第２アームの先端付近には、傾斜部を有する請求項１記載の穿刺針カートリッジ。
【請求項１０】
前記第２アームは前記第１アームより前記保護キャップ側に設けられている請求項１記載の穿刺針カートリッジ。
【請求項１１】
皮膚を穿刺するカートリッジ方式の穿刺針カートリッジが装着される穿刺装置であって、
前記穿刺針カートリッジは、請求項１記載の穿刺針カートリッジであり、前記穿刺針カートリッジの穿刺針ホルダを保持するケーシングと、
前記ランセットを保持して穿刺針の軸方向に駆動するプランジャとを備える穿刺装置。
【請求項１２】
皮膚を穿刺するカートリッジ方式の穿刺針カートリッジが装着される穿刺装置であって、
前記穿刺針カートリッジは、請求項１記載の穿刺針カートリッジであり、
前記穿刺針カートリッジの穿刺針ホルダを保持するケーシングと、
前記ランセットを保持して穿刺針の軸方向に駆動するプランジャとを備え、
前記第１の状態にある前記穿刺針カートリッジが装着されたときには、前記第１アームを弾性変形させて、前記プランジャに保持された前記ランセットを穿刺針の軸方向に駆動可能にし、前記穿刺針カートリッジが穿刺装置から取り外されるときには、前記ランセットと前記プランジャとの保持が開放されることに応じて、前記穿刺針カートリッジを第３の状態に変化させる穿刺装置。
【請求項１３】
皮膚を穿刺する穿刺針と、前記穿刺針の先端の一部又は全部を覆うように保護し、かつ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、
前記ランセットは、前記軸方向の互いに異なる位置に、第１の要素と第２の要素とを有し、
前記穿刺針ホルダは、開口部を有し、
前記第１の要素及び／又は前記第２の要素が、前記開口部から露出した際に前記開口部に当接する穿刺針カートリッジ。
【請求項１４】
前記ランセットは、前記外周面から外方に突出した、一対の第１の要素と、前記第１のアームに対して前記穿刺針の軸方向又は周方向に異なる位置に、前記外周面から外方に突出した、第２の要素とを備え、
前記穿刺針ホルダは、前記ランセットが前記穿刺針の軸方向の第１の位置にあるときに、前記第１の要素又は前記第２の要素を収納し、かつ、
前記ランセットが前記穿刺針の軸方向の第２の位置にあるときに、前記第１の要素又は前記第２の要素を外部に突出させる開口部を備える請求項１３記載の穿刺針カートリッジ。
【請求項１５】
皮膚を穿刺する穿刺針と、前記穿刺針の先端の一部又は全部を覆うように保護し、かつ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、
前記ランセットは、前記軸方向の互いに異なる位置に、第１の要素と第２の要素とを有し、
前記穿刺針ホルダは、前記第１の要素及び／又は前記第２の要素が、前記穿刺針ホルダの外方に露出し得る開口部を有し、
前記第１の要素のみが前記開口部から露出して、前記第１の要素が前記開口部と当接し得る第１の状態と、
前記第１の要素と前記第２の要素が共に前記開口部から露出しない第２の状態と、
前記第１及び第２の要素が共に前記開口部から露出して、前記第２の要素が前記開口部と当接し得る第３の状態とを取り得る穿刺針カートリッジ。
【請求項１６】
皮膚を穿刺する穿刺針と、前記穿刺針の先端を除く部分を保持し、穿刺装置に装着可能な本体部と、前記穿刺針の先端の一部又は全部を覆うように保護し、かつ前記本体部と分離可能に形成された保護キャップと、を有するランセットと、
前記本体部を前記穿刺針の軸方向に移動可能に保持する穿刺針ホルダと、を備える穿刺針カートリッジであって、
前記穿刺針ホルダは、開口部を有し、
前記ランセットは、
前記本体部が前記穿刺装置に装着され前記穿刺針による穿刺が実施されるまでは前記穿刺針ホルダの内部に位置し、前記穿刺針による穿刺が実施された後であって前記本体部が前記穿刺装置から引き抜かれる際に前記穿刺ホルダの前記開口部から露出して前記穿刺針ホルダに対する前記本体部の移動を規制する規制手段を有する、穿刺針カートリッジ。
【発明の詳細な説明】
【技術分野】
【０００１】
本発明は、血糖値測定などの血液測定において、採血をするための穿刺器具に用いる穿刺針カートリッジ及び穿刺装置に関する。
【背景技術】
【０００２】
従来から血液を採取するためのさまざまな穿刺器具や、それとともに用いられる使い捨て式のランセットが開発されている。このような穿刺器具においては、ランセットを穿刺器具に取り付けたり取り外したりする際に、ランセットの一端から露出した穿刺針に誤って手などに刺してしまう危険性があった。上述の問題を受け、穿刺針を囲むキャップを有し、穿刺針に直接触れる危険性がなく穿刺器具に対してランセットの着脱が可能な穿刺針カートリッジや再装着しても再利用を防止することができる穿刺針カートリッジが開発されてきた（例えば、特許文献１参照）。
【先行技術文献】
【特許文献】
【０００３】
【特許文献１】特開２０００−２４５７１７号公報
【発明の概要】
【発明が解決しようとする課題】
【０００４】
しかしながら、このような従来の穿刺針カートリッジにあっては、使用済みのランセット単体の状態では穿刺針がカートリッジに固定されておらず、穿刺針が露出するおそれがあり針刺し事故や感染などの危険性があった。
【０００５】
本発明はかかる点に鑑みてなされたものであり、ユーザが使用済みランセットの再使用及び穿刺針の露出を防止することができる穿刺針カートリッジ及び穿刺装置を提供することを目的とする。
【課題を解決するための手段】
【０００６】
本発明の穿刺針カートリッジは、皮膚を穿刺する穿刺針と、前記穿刺針の先端の一部又は全部を覆うように保護し、かつ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、前記ランセットは、軸方向の互いに異なる位置に、弾性変形が可能な、少なくとも第１アームと、第２アームとを備える構成を採る。
【０００７】
本発明の穿刺針カートリッジは、皮膚を穿刺する穿刺針と、前記穿刺針の先端の一部又は全部を覆うように保護し、かつ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、前記ランセットは、軸方向の互いに異なる位置に、弾性変形が可能な、少なくとも第１アームと、第２アームとを有し、前記穿刺針ホルダは、前記ランセットが前記穿刺針の軸方向の所定の位置にあるときに、穿刺針ホルダの外方に前記第１アーム、及び／又は前記第２アームが突出する開口部を有し、前記穿刺針カートリッジは、前記第１アームのみが前記開口部から突出して、前記ランセットの移動を規制する第１の状態と、前記第１アームと、第２アームとが穿刺針カートリッジ内に納まって、前記穿刺針が穿刺針ホルダから突出可能な第２の状態と、前記第１アームと第２アームが共に、開口部から突出して、前記ランセットの移動を規制する第３の状態とを取り得る構成を採る。
【０００８】
本発明の穿刺装置は、皮膚を穿刺するカートリッジ方式の穿刺針カートリッジが装着される穿刺装置であって、前記穿刺針カートリッジは、請求項１に記載の穿刺針カートリッジであり、前記穿刺針カートリッジの穿刺針ホルダを保持するケーシングと、前記ランセットを保持して穿刺針の軸方向に駆動するプランジャとを備える構成を採る。
【０００９】
本発明の穿刺装置は、皮膚を穿刺するカートリッジ方式の穿刺針カートリッジが装着される穿刺装置であって、前記穿刺針カートリッジは、上記に記載の穿刺針カートリッジであり、前記穿刺針カートリッジの穿刺針ホルダを保持するケーシングと、前記ランセットを保持して穿刺針の軸方向に駆動するプランジャとを備え、前記第１の状態にある前記穿刺針カートリッジが装着されたときには、前記第１アームを弾性変形させて、前記プランジャに保持された前記ランセットを穿刺針の軸方向に駆動可能にし、前記穿刺針カートリッジが穿刺装置から取り外されるときには、前記ランセットと前記プランジャとの保持が開放されることに応じて、前記穿刺針カートリッジを第３の状態に変化させる構成を採る。
【発明の効果】
【００１０】
本発明によれば、穿刺針カートリッジを構成するランセットは軸方向の互いに異なる位置に、弾性変形が可能な第１アームと第２アームとを有することにより、患者が使用済み穿刺針カートリッジを再装着しても再度の穿刺動作を防止することができる。
【００１１】
また、使用後の穿刺針カートリッジにおいて、第１アームあるいは第２アームが穿刺針ホルダと当接することで使用後の針先の露出を防止することができる。また、使用後のランセットの軸方向の動きを規制する第１アーム及び第２アームを設けているため、第１アームあるいは第２アームいずれか一方が破損することがあっても、破損しなかった他方のアームにより穿刺針の露出を防止でき、より一層安全である。
【図面の簡単な説明】
【００１２】
【図１】本発明の実施の形態１に係る穿刺装置及び穿刺針カートリッジの全体構成を示す斜視図
【図２】上記実施の形態１に係る穿刺装置及び穿刺針カートリッジの先端部分内部の状態を透視して示す要部及び周辺部の透視斜視図
【図３】上記実施の形態１に係る穿刺針カートリッジの斜視図
【図４】上記実施の形態１に係る穿刺針カートリッジの保護キャップとランセット本体の斜視図
【図５】上記実施の形態１に係る穿刺針カートリッジと穿刺装置本体の各動作状態における要部断面図
【図６】上記実施の形態１に係る穿刺針カートリッジと穿刺装置本体の各動作状態における要部断面図
【図７】上記実施の形態１に係る穿刺針カートリッジと穿刺装置本体の各動作状態における要部断面図
【図８】上記実施の形態１に係る穿刺針カートリッジと穿刺装置本体の各動作状態における要部断面図
【図９Ａ．Ｂ】上記実施の形態１に係る穿刺針カートリッジと穿刺装置本体の各動作状態における要部断面図
【図１０】上記実施の形態１に係る穿刺針カートリッジと穿刺装置本体の各動作状態における要部断面図
【図１１】本発明の実施の形態２に係る穿刺針カートリッジの保護キャップとランセット本体の斜視図
【図１２】本発明の実施の形態３に係る穿刺針カートリッジの保護キャップとランセット本体の斜視図
【図１３】本発明の実施の形態４に係る穿刺針カートリッジの保護キャップとランセット本体の斜視図
【図１４】本発明の実施の形態５に係る穿刺針カートリッジの保護キャップとランセット本体の斜視図
【図１５】本発明の実施の形態６に係る穿刺針カートリッジの断面図
【図１６】本発明の実施の形態６に係る穿刺針カートリッジの断面図
【発明を実施するための形態】
【００１３】
以下、本発明の実施の形態について、図面を参照して詳細に説明する。
【００１４】
（実施の形態１）
図１は、本発明の実施の形態１に係る穿刺装置及び穿刺針カートリッジの全体構成を示す斜視図、図２は、図１の先端部分内部の状態を透視して示す要部及び周辺部の透視斜視図である。図３は、穿刺針カートリッジの斜視図、図４は、保護キャップとランセット本体の斜視図である。
【００１５】
図１及び図２に示すように、穿刺装置１００は、穿刺装置本体１０１と、穿刺針カートリッジ１０５とから構成される。
【００１６】
穿刺装置本体１０１は、ベースメカ１０２、プランジャ１０３、スタブ１０４、廃棄用部材１０６、挿入口１０７、穿刺ボタン１０８、及び穿刺針カートリッジ１０５を廃棄するための廃棄用ボタン１０９を備える。
【００１７】
ベースメカ１０２は、穿刺針カートリッジ１０５の穿刺針ホルダ２０１（図３参照）を保持する。
【００１８】
プランジャ１０３の先端部分は、穿刺針カートリッジ１０５のチャッキング部２０６（図２参照）を把持する。
【００１９】
スタブ１０４は、深度調節のレベル及び穿刺針カートリッジ１０５が挿入される挿入口１０７が形成される。
【００２０】
廃棄用部材１０６は、穿刺装置本体１０１に装着された穿刺針カートリッジ１０５を素手で触ることなく押し出し、廃棄する。
【００２１】
穿刺ボタン１０８は、ユーザが穿刺時に押下する。
【００２２】
図３及び図４に示すように、穿刺針カートリッジ１０５は、ランセット２０４と、筒状の穿刺針ホルダ２０１とからなる。
【００２３】
ランセット２０４は、穿刺針２０７と、穿刺針２０７を保持するランセット本体２０３と、穿刺針２０７のランセット本体２０３から露出した部分の一部又は全部を覆うように保護し、かつランセット本体２０３とは分離可能に形成された保護キャップ２０２とを有する。穿刺針カートリッジ１０５は、穿刺針２０７がランセット本体２０３の軸方向に移動可能なように、ランセット２０４の外周面に配置されている。
【００２４】
穿刺針２０７は、体液などを採取するために皮膚を穿刺する。
【００２５】
さらに、ランセット本体２０３は、チャッキング部２０６、保護キャップ２０２とランセット本体２０３を分離可能な破断部２０８、第１アーム２０９、第２アーム２１０、及びガイド２１５を備える。
【００２６】
第１アーム２０９と第２アーム２１０とは、弾性変形可能であり、ランセット本体２０３の軸方向の互いに異なる位置に配置されている。
【００２７】
第１アーム２０９及び第２アーム２１０は共に先端部を有し、それら先端部と穿刺針ホルダ２０１との位置関係が変化することによって、穿刺針カートリッジ１０５の再使用防止する機能と、保護キャップ２０２が分離された状態での穿刺針２０７の露出防止する機能とをもつ。さらにまた、第１アーム２０９の先端部における穿刺針ホルダ２０１との係合部を第１の要素とし、第２アーム２１０の先端部における穿刺針ホルダ２０１との係合部を第２の要素とする。
【００２８】
第１アーム２０９は、第２アーム２１０が破損した場合の露出防止機能としての予備アームとなり得る。さらに、第１アーム２０９は、第２アーム２１０が破損した場合、再使用防止機能がある。
【００２９】
第１アーム２０９は、その先端部がランセット本体２０３の外周面から外方に突出した、一対のアームである。第２のアーム２１０は、第１のアーム２０９に対してランセット本体２０３の軸方向又は周方向に異なる位置において、その先端部が前記外周面から外方に突出したアームである。
【００３０】
図４に示すように、本実施の形態では、第１アーム２０９は、ランセット本体２０３を対称軸として２個配置され対称的な形状をしており、第１アーム２０９と９０度位相がずれた位置にガイド２１５が配置されている。第２アーム２１０も第１アーム２０９と同様に２個配置され対称的な形状をしている。
【００３１】
また、第１アーム２０９と第２アーム２１０の先端部には、チャッキング部２０６側に、傾斜部２０９ａ，２１０ａを有している。傾斜部２０９ａ，２１０ａは、傾斜面によって、第１アーム２０９の先端部と第２アーム２１０の先端部が、ランセット本体２０３の軸心方向へ移動することを容易にしている。
【００３２】
また、第２アーム２１０の先端部には、突起部２１２が設けられ、穿刺針ホルダ２０１の開口端部２１４（図５参照）と係合しやすくなっている。
【００３３】
一対の第１アーム２０９の先端部は、保護キャップ２０２から等距離（距離Ａとする）に配置されており、一対の第２アーム２１０の先端部も保護キャップ２０２から等距離（距離Ｂとする）にそれぞれ配置されている。但し、距離Ａと距離Ｂの距離は異なるものとし、距離Ａの方が距離Ｂよりも長い。
【００３４】
ここで、穿刺針カートリッジ１０５は、第１アーム２０９の先端部のみが開口部２１１から露出して、ランセット本体２０３の前方（穿刺針２０７が突出する方向）への移動を規制する<第１の状態>と、第１アーム２０９の先端部と第２アーム２１０の先端部とが穿刺針ホルダ２０１内に納まって、ランセット本体２０３が穿刺針２０７の軸方向に移動可能な<第２の状態>と、第１アーム２０９の先端部と第２アーム２１０の先端部がそれぞれ、開口部２１１から露出して、ランセット本体２０３の前方（穿刺針２０７が突出する方向）への移動を規制する<第３の状態>とを取り得る。
【００３５】
穿刺針ホルダ２０１は、ランセット本体２０３がガイド２１５に案内されて穿刺針２０７の軸方向に移動可能なように、ランセット本体２０３を保持する。
【００３６】
穿刺針ホルダ２０１は、ランセット本体２０３が穿刺針２０７の軸方向の所定の位置にあるときに、穿刺針ホルダ２０１の外方に第１及び／又は第２アームの一部が露出するための開口部２１１を有する。開口部２１１は、穿刺針ホルダ２０１の外周面又は外側面に等間隔に複数個設けられている。本実施の形態では、開口部２１１は、９０度間隔で４個設けられており、このうち、対向する２組の開口部２１１から、第１及び／又は第２アームの一部とガイド２１５の一部または全部がそれぞれ露出する構造となっている。
【００３７】
さらに、穿刺針ホルダ２０１は、第１アーム２０９又は第２アーム２１０の先端部と係合する開口端部２１４を、開口部２１１の保護キャップ２０２側の端面に有する。
【００３８】
すなわち、穿刺針ホルダ２０１は、ランセット本体２０３が穿刺針２０７の軸方向の第１の位置にあるときに第２アーム２１０の先端部を収納し、また、ランセット本体２０３が穿刺針２０７の軸方向の第２の位置にあるときに第１アーム２０９及び第２アーム２１０の先端部を収納し、ランセット本体２０３が穿刺針２０７の軸方向の第３の位置にあるときに第１アーム２０９および第２アーム２１０の先端部をそれぞれ外部に露出させる開口部２１１を備える。
【００３９】
穿刺針ホルダ２０１とランセット２０４は、穿刺針カートリッジ１０５を構成した状態で穿刺装置本体１０１の先端部に取り付けられる。この時、ランセット２０４は、そのランセット本体２０３に設けられたチャッキング部２０６において、プランジャ１０３の先端部分に把持される。
【００４０】
ランセット本体２０３と保護キャップ２０２は、樹脂などの弾性材、例えばポリエチレン樹脂にて一体成形されており、破断部２０８を有する。
【００４１】
以上のように構成される穿刺針カートリッジ１０５と穿刺装置本体１０１の再使用防止及び露出防止の動作について説明する。
【００４２】
まず、穿刺針カートリッジ１０５と穿刺装置本体１０１の各動作状態について説明する。
【００４３】
図５乃至図１０は、穿刺針カートリッジ１０５と穿刺装置本体１０１の各動作状態における要部断面図である。図５は、穿刺針カートリッジ１０５装着前を、図６は、穿刺針カートリッジ１０５を穿刺装置本体１０１に装着した状態を、図７は、保護キャップ２０２を分離した状態を、図８は、穿刺後の状態を、図９は、廃棄後の状態を、図１０は、廃棄後、再装着した状態を、それぞれ示す。
【００４４】
[穿刺針カートリッジ１０５装着前（図５）]
図５は、第１アーム２０９の先端部が穿刺針ホルダ２０１（図３参照）の開口部２１１から露出して、ランセット本体２０３の前方への移動を規制する<第１の状態>を示している。
【００４５】
[穿刺針カートリッジ１０５装着時（図６）]
穿刺針カートリッジ１０５が穿刺装置本体１０１に装着されると、穿刺針カートリッジ１０５を構成するランセット本体２０３のチャッキング部２０６がプランジャ１０３に把持される。穿刺針カートリッジ１０５の装着と同時に、穿刺装置本体１０１は、穿刺針カートリッジ１０５の装着に伴うプランジャ１０３に設けられた穿刺バネ（図示せず）の付勢により、穿刺のためのチャージ動作が行われて、穿刺の準備状態となる。
【００４６】
[保護キャップ２０２取外し時（図７）]（保護キャップ２０２なし状態）
図７は、穿刺針カートリッジ１０５装着時（図６）において、ランセット本体２０３と保護キャップ２０２が分離された状態を示している。
【００４７】
[穿刺後（図８）]（保護キャップ２０２なし状態）
穿刺装置本体１０１に備えられている穿刺ボタン１０８の押下により、ランセット本体２０３が前方へ移動し、穿刺針２０７の先端が穿刺針ホルダ２０１から突出することで皮膚を穿刺する。図８は、その穿刺後に穿刺針２０７が戻った状態を示している。このとき、第１アーム２０９の先端部及び第２アーム２１０の先端部は穿刺針ホルダ２０１の内側に存在する。
【００４８】
上述のように、第１アーム２０９の先端部と第２アーム２１０の先端部とが穿刺針ホルダ２０１内に納まって、ランセット本体２０３が穿刺針２０７の軸方向に移動可能な穿刺後の状態が<第２の状態>である。
【００４９】
[廃棄後（図９）]（保護キャップ２０２なし状態）
図９Ａ．Ｂに示すように、穿刺装置本体１０１から使用後の穿刺針カートリッジ１０５を抜き、使用後の穿刺針カートリッジ１０５を廃棄する。図９Ｂは、第１アーム２０９の先端部及び第２アーム２１０の先端部がそれぞれ、穿刺針ホルダ２０１の開口部２１１（図３参照）から露出して、ランセット本体２０３の前方への移動を規制する<第３の状態>を示している。廃棄された穿刺針カートリッジ１０５は、ユーザの誤操作によって、ランセット本体２０３の後端部（チャッキング部２０６側）が前方に押された場合に、まず、第２アーム２１０の先端部が穿刺針ホルダ２０１に係合し、穿刺針２０７の露出を防止する。さらに、第２アーム２１０が破損した場合にでも、第１アーム２０９の先端部が穿刺針ホルダ２０１と係合し露出を防止する。このように廃棄後には、常に２種類のアームが針の露出防止にはたらくことにより、より安全な製品とすることができる。
【００５０】
[廃棄後再装着（図１０）]
図１０は、廃棄後にリキャップ（保護キャップ２０２の再装着）された穿刺針カートリッジ１０５を穿刺装置本体１０１に再装着した状態を示している。廃棄後の穿刺針カートリッジ１０５の穿刺装置本体１０１への再装着それ自体は可能であるものの、第２アーム２１０の先端部が穿刺針ホルダ２０１から露出し、第２アーム２１０の先端部と穿刺針ホルダ２０１が係合することによって、ランセット本体２０３が前方へ移動して穿刺を行うことを防止する。つまり、廃棄（使用）済みの穿刺針カートリッジ１０５は、間違って再使用することはできないため、安全である。
【００５１】
上述したように、穿刺針カートリッジ１０５は、第１アーム２０９の先端部が穿刺針ホルダ２０１から露出して、ランセット本体２０３の前方への移動を規制する<第１の状態>と（図５参照）、第１アーム２０９の先端部と第２アーム２１０の先端部とが穿刺針ホルダ２０１内に納まって、ランセット本体２０３が穿刺針ホルダ２０１内を移動可能な<第２の状態>と（図８参照）、第１アーム２０９の先端部と第２アーム２１０の先端部が、それぞれ穿刺針ホルダ２０１から露出して、ランセット本体２０３の前方への移動を規制する<第３の状態>と（図９Ｂ参照）を取り得る。
【００５２】
第２アーム２１０の先端部が穿刺針ホルダ２０１から露出することによって、使用後の穿刺針カートリッジ１０５を穿刺装置本体１０１にセットし、穿刺動作をさせようとしても、第２アーム２１０の先端部が穿刺針ホルダ２０１に係合し、（図１０参照）、ランセット本体２０３の前方への移動を規制する。また、第２アーム２１０は、第１アーム２０９以上の強度を持っているため、ユーザの強引な操作を防止することができる。
【００５３】
このように、使用済み穿刺針カートリッジ１０５の再使用及び穿刺針２０７の穿刺針ホルダ２０１からの露出を確実に防止することができる。
【００５４】
次に、第１アーム２０９と第２アーム２１０の動作についてさらに詳細に説明する。
【００５５】
上記<第１の状態>、<第２の状態>、<第３の状態>及び「廃棄後の穿刺針２０７の露出防止状態」にある時の第１アーム２０９及び第２アーム２１０の動作について述べる。
【００５６】
〔第１の状態〕
<第１の状態>は、穿刺針カートリッジ１０５を穿刺装置本体１０１（図１参照）に装着前の状態である。
【００５７】
第１アーム２０９は、ランセット本体２０３が前方へ移動するのを防止する。第１アーム２０９の先端部は、穿刺針ホルダ２０１から、その先端部が露出する。第１アーム２０９の先端部は、ランセット本体２０３が前方に移動しようとした時に、穿刺針ホルダ２０１の開口端部２１４（図５参照）部分に係合し、前方への移動を規制する。この構成により、特に通常手順と異なり、穿刺針カートリッジ１０５を穿刺装置本体１０１に装着する前に、保護キャップ２０２が外されてしまった場合でも、穿刺針２０７の露出を規制し安全である。
【００５８】
第２アーム２１０の先端部は、穿刺針ホルダ２０１内にとどまる。
【００５９】
〔第１の状態から第２の状態への遷移状態〕
上述した<第１の状態>と<第２の状態>との間には、（１）穿刺針カートリッジ１０５装着時（図６参照）、（２）保護キャップ２０２分離（図７参照）が存在する。
【００６０】
先に第１の状態から第２の状態へと移行する過程として（１）、（２）について説明する。
【００６１】
（１）穿刺針カートリッジ１０５装着時（図６参照）
第１アーム２０９の先端部は、穿刺針カートリッジ１０５を穿刺装置本体１０１に装着する動作に応じて、ベースメカ１０２（図６参照）の端面に案内されてランセット本体２０３の軸心方向へ移動する。第１アーム２０９の先端の最終位置は、ベースメカ１０２の内側である。
【００６２】
第２アーム２１０の先端部は、穿刺針ホルダ２０１内にとどまる。
【００６３】
（２）保護キャップ２０２分離（図７参照）
第１アーム２０９の先端部及び第２アーム２１０の先端部の動作変化はない。
【００６４】
〔第２の状態〕
次に、<第２の状態>について図８を用いて説明する。
【００６５】
穿刺ボタン１０８を押すことによって、穿刺針２０７の先端が穿刺針ホルダ２０１から突出して皮膚を穿刺する。それに伴い、第１アーム２０９の先端部も前進し、穿刺針ホルダ２０１の内部に入る。第１アーム２０９の先端部は、その後、プランジャ１０３が穿刺バネの自由長の位置まで後退した際に止まる。止まった時の穿刺針ホルダ２０１内部における第１アーム２０９の先端部の位置は、穿刺針カートリッジ１０５装着時の位置よりも前方でかつ穿刺針ホルダ２０１の内部である。
【００６６】
この時、第１アーム２０９の先端部および第２アーム２１０の先端部は、穿刺針ホルダ２０１内にとどまる。この穿刺後の状態を第２の状態とする。
【００６７】
〔第２の状態から第３の状態への遷移状態〕
以下、<第２の状態>の後に後述の<第３の状態>へと続く廃棄時（図９参照）の一連動作について、便宜上その１からその４に分割して説明する。
【００６８】
廃棄時その１
廃棄用部材１０６が穿刺針ホルダ２０１のみを押す動作に伴って、穿刺針ホルダ２０１のみが穿刺針２０７先端方向に動くが、ランセット本体２０３は移動しない。この時に、穿刺針ホルダ２０１が、開口端部２１４内側の傾斜にそって第１アーム２０９の先端部をランセット本体２０３の軸心方向に弾性変形させながら動く。そして第１アーム２０９の先端部が、開口端部２１４（図５参照）を通過すると、第１アーム２０９の先端部が穿刺針ホルダ２０１から露出する。
【００６９】
この間、第２アーム２１０の先端部は、穿刺針ホルダ２０１内にとどまっている。
【００７０】
廃棄時その２
廃棄用部材１０６は、前述の廃棄時その１での押す動作を継続し、穿刺針ホルダ２０１がさらに前方へ移動するが、第１アーム２０９の先端部位置はそのままとどまる。
【００７１】
このさらなる前方への移動によって、今度は、穿刺針ホルダ２０１が、開口端部２１４内側の傾斜にそって第２アーム２１０の先端部をランセット本体２０３の軸心方向に弾性変形させながら動く。
【００７２】
〔第３の状態〕
廃棄時その３
そして第２アーム２１０の先端部が、開口部２１１の前端である開口端部２１４を通過すると、弾性変形が元に戻りながら第２アーム２１０の先端部が穿刺針ホルダ２０１から露出する。この状態を<第３の状態>とする。
【００７３】
廃棄時その４
第１アーム２０９のつけね後端部とガイド２１５後端部の少なくとも一方が穿刺針ホルダ２０１開口部２１１の後端に係合して、廃棄用部材１０６の力がランセット本体２０３に加わり、チャッキング部２０６がプランジャ１０３から解放され、穿刺針カートリッジ１０５が穿刺装置本体１０１から廃棄される。
【００７４】
この間は、第１アーム２０９の先端部及び第２アーム２１０の先端部の動作変化はない。
【００７５】
以上、<第１の状態>、<第２の状態>、<第３の状態>における第１アーム２０９及び第２アーム２１０の動作について述べた。続いて、「廃棄後の穿刺針２０７の露出防止又は再使用防止」状態にある時の第１アーム２０９及び第２アーム２１０の動作について述べる。
【００７６】
廃棄後の穿刺針２０７の露出防止は、穿刺装置本体１０１への穿刺針カートリッジ１０５の再装着がない場合について説明し、廃棄後の穿刺針２０７の再使用防止は、穿刺装置本体１０１への穿刺針カートリッジ１０５の再装着がある場合について説明する。
【００７７】
〔廃棄後の穿刺針２０７の露出防止〕
穿刺装置本体１０１への穿刺針カートリッジ１０５の再装着がない場合
穿刺針２０７を露出する方向へランセット本体２０３が動いた時、第２アーム２１０の先端部が穿刺針ホルダ２０１に係合する。これにより、ランセット本体２０３が前方へ移動することを規制し、穿刺針２０７が穿刺針ホルダ２０１から露出することを防止できる。さらに、第２アーム２１０が破損した場合であっても、第１アーム２０９の先端部が穿刺針ホルダ２０１に係合する。このように廃棄後には、常に第１アーム２０９および第２アーム２１０の２種類のアームが穿刺針２０７の露出防止のために機能することにより、より安全な製品とすることができる。
【００７８】
〔廃棄後の穿刺針２０７の再使用防止〕
穿刺装置本体１０１への穿刺針カートリッジ１０５の再装着がある場合（リキャップなし）
使用済みランセットの再使用は、禁止されている。それにもかかわらず、ユーザが穿刺装置本体１０１への穿刺針カートリッジ１０５の再装着をした場合には、図９Ｂに示すように、第２アーム２１０の先端部と穿刺針ホルダ２０１が係合することによって、ランセット本体２０３が前方へ移動することを規制し、再使用できない。
【００７９】
以上詳細に説明したように、本実施の形態によれば、穿刺針カートリッジ１０５を構成するランセット２０４は軸方向の互いに異なる位置に、弾性変形が可能な第１アーム２０９と第２アーム２１０とを有し、穿刺針カートリッジ１０５は、第１アーム２０９の先端部が穿刺針ホルダ２０１から露出して、ランセット本体２０３の移動を規制する<第１の状態>と、第１アーム２０９の先端部と、第２アーム２１０の先端部とが穿刺針ホルダ２０１内に納まって、ランセット本体２０３が穿刺針２０７の軸方向に移動可能な<第２の状態>と、第１アーム２０９の先端部と第２アーム２１０の先端部がそれぞれ、穿刺針ホルダ２０１から露出して、ランセット本体２０３の移動を規制する<第３の状態>とを取り得る。この構成により、患者が使用済み穿刺針カートリッジ１０５を再装着しても再度の穿刺動作を防止することができる。
【００８０】
また、使用後の穿刺針カートリッジ１０５において、第２アーム２１０の先端部あるいは第１アーム２０９の先端部が穿刺針ホルダ２０１と当接することで使用後の穿刺針２０７の露出を防止することができる。
【００８１】
また、使用後のランセット本体２０３の軸方向の動きを規制する第１アーム２０９及び第２アーム２１０を設けているため、第２アーム２１０が破損することがあっても、破損しなかった他方のアームにより穿刺針の露出を防止でき、より一層安全である。
【００８２】
本実施の形態では、第１アーム２０９あるいは第２アーム２１０は、アームが２種類あることで、再使用防止機能を強化することができる。また、使用後の穿刺針２０７の露出防止も強化することができる。
【００８３】
また、アーム形状において、アームから分岐した突起部２１２を設けたことで、より穿刺針ホルダ２０１と係合したり、よりアームが開きにくくなったりするため、再使用及び露出の防止に役立つ効果がある。
【００８４】
特に、本実施の形態では、保護キャップ２０２をリキャップされ、かつ穿刺装置本体１０１に装着されても、再使用できないようにすることができるという特有の効果がある。
【００８５】
なお、本実施の形態では、第１アーム２０９と第２アーム２１０を２個ずつ配置し、等角度（１８０度）の位相に配置した例について説明したが、第１アーム２０９と第２アーム２１０が、２個であること、等角度であることは、それぞれ限定されない。
【００８６】
また、第１アーム２０９及び第２アーム２１０が、傾斜部２０９ａ，２１０ａを有すること、第２アーム２１０が、突起部２１２を有することは、それぞれ限定されない。
【００８７】
（実施の形態２）
図１１は、本発明の実施の形態２に係る穿刺針カートリッジの保護キャップとランセット本体の斜視図である。図４と同一構成部分には同一符号を付して重複箇所の説明を省略する。
【００８８】
図１１において、ランセット３０４は、ランセット本体２０３の軸周りの位相が異なった位置に配置される第１アーム３０９と第２アーム３１０とを有する。
【００８９】
図１１に示すように、実施の形態２では、第１アーム３０９と第２アーム３１０がそれぞれ９０度の位相差を持った位置に２個ずつ配置されており、第１アーム３０９、第２アーム３１０ともに、実施の形態１と同じく等角度（１８０度）の位相に配置されている。
【００９０】
また、第１アーム３０９と第２アーム３１０の先端部のチャッキング部２０６側に、傾斜部３０９ａ，３１０ａを有している。
【００９１】
また、第２アーム３１０には、突起部３１１が設けられている。突起部３１１は、第２アーム３１０の先端部から穿刺方向に突出した形状を有する。
【００９２】
実施の形態１の第１アーム２０９と第２アーム２１０とが同位相に配置されていたのに対し、実施の形態２では、第１アーム３０９と第２アーム３１０との位相が異なる。この時、ユーザによる誤操作によって容易に全てのアームを内側に変形させることを防止する。
【００９３】
実施の形態２によれば、実施の形態１の効果に加えてさらに以下の効果がある。すなわち、実施の形態１の第１アーム２０９及び第２アーム２１０のように、アームが同位相の場合には、廃棄後、このアームを指で掴んで、無理な操作をすると針が露出する場合が考えられる。これに対して、実施の形態２では、第１アーム３０９と第２アーム３１０の位相が９０度ずらすことで、上記のような操作が非常に難しくなり、露出防止により効果がある。
【００９４】
なお、本実施の形態では、第１アーム３０９と第２アーム３１０がそれぞれ９０度の位相差を持った位置に２個ずつ配置し、等角度（１８０度）の位相に配置した例について説明したが、第１アーム３０９と第２アーム３１０が、２個であること、９０度の位相差であること、等角度であることは、それぞれ限定されない。
【００９５】
また、第１アーム３０９及び第２アーム３１０が、傾斜部３０９ａ，３１０ａを有すること、第２アーム３１０が、突起部３１１を有することは、それぞれ限定されない。
【００９６】
（実施の形態３）
図１２は、本発明の実施の形態３に係る穿刺針カートリッジの保護キャップとランセット本体の斜視図である。図４と同一構成部分には同一符号を付して重複箇所の説明を省略する。
【００９７】
図１２において、ランセット４０４は、突起部４１１を有する第１アーム４０９及び第２アーム４１０とを備える。
【００９８】
図１２に示すように、実施の形態３では、実施の形態１と同じく第１アーム４０９と第２アーム４１０とは、ランセット本体２０３を対称軸としてそれぞれ２個配置され対称的な形状をしている。
【００９９】
また、第１アーム４０９と第２アーム４１０の先端部のチャッキング部２０６側に、傾斜部４０９ａ，４１０ａを有している。
【０１００】
さらに、突起部４１１は、第２アーム４１０の先端部から突出した形状を有している。
【０１０１】
ユーザの誤操作によって、ランセット本体２０３の後端部を押した場合、実施の形態１と比較して、両方のアームに突起物があるため、一方のアームが破損したとしても穿刺針２０７がより露出しにくい構造となっている。
【０１０２】
実施の形態３では、第１アーム４０９と第２アーム４１０の両方に突起部４１１を設けているが、第１アーム４０９にのみ設けてもよい。
【０１０３】
（実施の形態４）
図１３は、本発明の実施の形態４に係る穿刺針カートリッジの保護キャップとランセット本体の斜視図である。図４と同一構成部分には同一符号を付して重複箇所の説明を省略する。
【０１０４】
図１３において、ランセット５０４は、４つの第１アーム５０９と、突起部５１１を有する４つの第２アーム５１０とを備える。
【０１０５】
図１３に示すように、実施の形態４では、第１アーム５０９は、ランセット本体２０３を対称軸として軸方向に９０度ずつ位相をずらして等間隔で４個配置され、それぞれが同一形状をしており、第２アーム５１０も第１アーム５０９と同様に等間隔に４個配置され、それぞれが同一形状をしている。
【０１０６】
また、第１アーム５０９と第２アーム５１０の先端部のチャッキング部２０６側に、傾斜部５０９ａ，５１０ａを有している。
【０１０７】
さらに、突起部５１１は第２アーム５１０の先端部から突出した形状を有している。
【０１０８】
さらにまた、図１３では、４個の第２アーム５１０にそれぞれ突起部５１１を１個ずつ有しているが、４個の内、対称の位置の２個のみ突起部５１１を有してもかまわない。もちろん上述の実施の形態３（図１２参照）のように、第１アーム５０９に突起部５１１を設けてもよい。
【０１０９】
実施の形態１の第２アーム２１０が２つであったのに対し、実施の形態４では第２アーム５１０を４本有する。
【０１１０】
なお、第２アーム５１０の数は、４本に限らない、１本あるいは２本以上の複数本有するものであればよい。
【０１１１】
（実施の形態５）
図１４は、本発明の実施の形態５に係る穿刺針カートリッジの保護キャップとランセット本体の斜視図である。図４と同一構成部分には同一符号を付して重複箇所の説明を省略する。
【０１１２】
図１４において、ランセット６０４は、第１アーム６０９と、三角リブ形状の第２アーム６１０とを備える。
【０１１３】
実施の形態１では、第１アーム２０９の形状と第２アーム２１０の形状が同様の形状であった。実施の形態５では、第２アーム６１０の形状は、第１アーム６０９の形状と異なる三角リブ形状である。
【０１１４】
図１４に示すように、実施の形態５では、第１アーム６０９は、ランセット本体２０３を対称軸として２個配置され同一形状をしており、第２アーム６１０も第１アーム６０９と同様の位置に２個配置され同一形状をしている。
【０１１５】
また、第１アーム６０９と第２アーム６１０の先端部のチャッキング部２０６側に、傾斜部６０９ａ，６１０ａを有している。
【０１１６】
なお、第１アーム又は第２アームの形状は、三角リブ形状に限らない、湾曲、折曲、テーパ状でもよく、傾斜部を有していてもよい。但し、穿刺針の露出防止及び再使用の防止の観点から、曲がり方や傾斜部の方向性は限定される。つまり、ランセット本体２０３が穿刺針ホルダ２０１の内部において、穿刺針の露出方向とは逆の方向に移動しやすく、穿刺針の露出方向に移動が規制されるように、アームの形状を限定する必要がある。
【０１１７】
（実施の形態６）
上記実施の形態１から５では、ランセットが第１アーム及び第２アームの両方を具備する場合について説明した。実施の形態６では、ランセットが、第１アームを具備せず、第２アームを具備する場合について説明する。
【０１１８】
図１５及び図１６は、本実施の形態に係る穿刺針カートリッジの断面図である。図１５は、穿刺装置に装着する前（未使用）の穿刺針カートリッジの状態を示し、図１６は、穿刺装置に装着して穿刺を行い、該穿刺装置から引き抜いた後（使用済み）の穿刺針カートリッジの状態を示す。
【０１１９】
なお、図１５及び図１６に示す穿刺針カートリッジ７０５において、図３及び図４で示した穿刺針カートリッジ１０５と共通する構成部分には、図３、図４と同一の符号を付してその説明を省略する。図１５及び図１６に示す穿刺針カートリッジ７０５は、図３及び図４で示した穿刺針カートリッジ１０５に対して、第１アーム２０９を削除した構成を採る。
【０１２０】
図１５に示すように、穿刺針カートリッジ７０５が未使用の状態では、第２アーム２１０は、穿刺針ホルダ２０１の内部に位置している。
【０１２１】
一方、図１６に示すように、穿刺針カートリッジ７０５が使用済みの状態では、第２アーム２１０は、穿刺針ホルダ２０１から露出し、第２アーム２１０のホルダ係合部２１３が、穿刺針ホルダ２０１の開口端部２１４と係合する。
【０１２２】
これにより、ランセット本体２０３が穿刺針の軸方向（穿刺方向）に移動することが規制される。
【０１２３】
このため、ユーザが、使用済みの穿刺針カートリッジ７０５のランセット本体２０３を押しても、穿刺針２０７が穿刺針ホルダ２０１から露出しない。
【０１２４】
また、ユーザが、使用済みの穿刺針カートリッジ７０５を穿刺装置本体１０１に再装着し、穿刺ボタン１０８（図１参照）を押し下げても、ランセット本体２０３が穿刺針２０７の軸方向（穿刺方向）に移動することが規制され、再度穿刺されることがない。
【０１２５】
このように、本実施の形態によれば、穿刺針カートリッジ７０５が使用済みの状態において、ランセット本体２０３の移動を規制する第２アーム２１０を設けることにより、使用済み穿刺針カートリッジ７０５の再使用及び使用済み穿刺針カートリッジ７０５の穿刺針２０７の露出を防止することができる。
【０１２６】
さらに、図１６に示すように、使用済みの状態で、ホルダ係合部２１３が穿刺針ホルダ２０１を挟むように、ホルダ係合部２１３を二股に分かれた形状とすることにより、穿刺針２０７の軸方向に垂直な方向の外側から第２アーム２１０を押圧しても、第２アーム２１０が開口部２１１から穿刺針ホルダ２０１の内側に入り込まないようにすることができる。
【０１２７】
なお、ホルダ係合部２１３の形状は図１６に示した形態に限らず、他の実施の形態において開示した第２アームの形状等、第２アーム２１０が開口部２１１から穿刺針ホルダ２０１の内側に入り込まないようにすることができるものであれば他の形状であってもよい。
【０１２８】
以上の説明は本発明の好適な実施の形態の例証であり、本発明の範囲はこれに限定されることはない。
【０１２９】
上記各実施の形態では穿刺針カートリッジ及び穿刺装置という名称を用いたが、これは説明の便宜上であり、穿刺器具、穿刺具等であってもよいことは勿論である。
【０１３０】
また、上記穿刺針カートリッジを構成する各部、例えばカートリッジの種類、その数及び接続方法などはどのようなものでもよい。
【０１３１】
２００８年１０月９日出願の特願２００８−２６２９８０の日本出願及び２００９年８月２５日出願の特願２００９−１９４５８２の日本出願に含まれる明細書、図面及び要約書の開示内容は、すべて本願に援用される。
【産業上の利用可能性】
【０１３２】
本発明に係る穿刺針カートリッジ及び穿刺装置は、血液などの体液を使用して測定や検査を行なうために、採血などに用いる穿刺装置の交換用の穿刺針と、その内部に前記穿刺針を移動可能なように収納し、かつ、前記穿刺針と同時に交換可能な穿刺針ホルダとを有する、使い捨て穿刺針カートリッジとして有用である。
【符号の説明】
【０１３３】
１００  穿刺装置
１０１  穿刺装置本体
１０２  ベースメカ
１０３  プランジャ
１０４  スタブ
１０５，７０５  穿刺針カートリッジ
１０６  廃棄用部材
１０７  挿入口
１０８  穿刺ボタン
１０９  廃棄用ボタン
２０１  穿刺針ホルダ
２０２  保護キャップ
２０３  ランセット本体
２０４，３０４，４０４，５０４，６０４  ランセット
２０６  チャッキング部
２０７  穿刺針
２０８  破断部
２０９，３０９，４０９,５０９，６０９  第１アーム
２１０，３１０，４１０，５１０,６１０  第２アーム
２０９ａ，２１０ａ，３０９ａ，３１０ａ、４０９ａ，４１０ａ，５０９ａ，５１０ａ，６０９ａ，６１０ａ  傾斜部
２１１  開口部
２１２，３１１、４１１,５１１  突起部
２１３  ホルダ係合部
２１４  開口端部
２１５  ガイド
【図１】
2011067565.tif 000003
【図２】
2011067565.tif 000004
【図３】
2011067565.tif 000005
【図４】
2011067565.tif 000006
【図５】
2011067565.tif 000007
【図６】
2011067565.tif 000008
【図７】
2011067565.tif 000009
【図８】
2011067565.tif 000010
【図９Ａ．Ｂ】
2011067565.tif 000011
【図１０】
2011067565.tif 000012
【図１１】
2011067565.tif 000013
【図１２】
2011067565.tif 000014
【図１３】
2011067565.tif 000015
【図１４】
2011067565.tif 000016
【図１５】
2011067565.tif 000017
【図１６】
2011067565.tif 000018